【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
ユーザ装置が無線ローカルエリアネットワークへのアクセスを獲得することを可能にする方法であって、
第２の通信ネットワークを介して、ユーザ装置の公開鍵を含む登録メッセージをユーザ装置から受信し、前記ユーザ装置は前記第２の通信ネットワークにより認証されており、前記無線ローカルエリアネットワークは前記第２の通信ネットワークと事前に確立された信頼関係を有し、前記第２の通信ネットワークはセルラネットワークであるステップと、
前記第２の通信ネットワークから受信した発信側インターネットプロトコルアドレスが、インターネットプロトコルの発信側アドレスの所定の範囲内であるか否かを決定するステップと、
そうである場合に、前記ユーザ装置の公開鍵に応じてセッション鍵を生成し、前記セッション鍵はユーザ装置の秘密鍵を使用して解読されるように適合されたステップと、
前記第２の通信ネットワークに前記セッション鍵を送信するステップと、
前記セッション鍵を使用して、前記ユーザ装置が前記無線ローカルエリアネットワークへのアクセスを獲得することを可能にするステップと
を有する方法。
【請求項２】
請求項１に記載の方法であって、
前記無線ローカルエリアネットワークと前記セルラネットワークとの間に安全なインターネットプロトコルチャネルを確立するステップを更に有する方法。
【請求項３】
請求項１に記載の方法であって、
前記ユーザ装置に関連するインタフェースのアドレスを受信するステップと、
前記アドレスと前記セッション鍵とのマッピングを登録するステップと
を更に有する方法。
【請求項４】
請求項３に記載の方法であって、
前記アドレスは、媒体アクセス制御アドレスとインターネットプロトコルアドレスとのうちの１つを有する方法。
【請求項５】
請求項３に記載の方法であって、
前記ユーザ装置による前記通信ネットワークへのアクセスに応じて使用データを生成するステップと、
前記使用データを前記第２の通信ネットワークに送信し、それによって前記使用データに応じて前記ユーザ装置の課金情報が生成され得るステップと
を更に有する方法。
【請求項６】
ユーザ装置と通信する第１の手段と、
通信ネットワークと通信し、前記通信ネットワークはセルラネットワークである第２の手段と、
前記通信する第２の手段に結合され、ユーザ装置の公開鍵を含む登録メッセージを受信し、前記登録メッセージに関連する発信側インターネットプロトコルアドレスが所定の発信側インターネットプロトコルアドレスの範囲内であるか否かを決定する手段と、
前記決定する手段と前記通信する第２の手段に結合され、前記発信側インターネットプロトコルアドレスが前記範囲内である場合に、前記ユーザ装置の公開鍵を使用して暗号化されたセッション鍵を生成し、前記通信する第２の手段を介して前記ユーザ装置に前記セッション鍵を送信する手段と
を有する無線ローカルエリアネットワークであって、
前記第１の通信手段により、前記セッション鍵を使用してユーザ装置が前記無線ローカルエリアネットワークにアクセス可能になる無線ローカルエリアネットワーク。
【請求項７】
請求項６に記載の無線ローカルエリアネットワークであって、
前記ユーザ装置に関連するインタフェースアドレスと前記セッション鍵とをマッピングするメモリ手段と、
前記無線ローカルエリアネットワークへのユーザ装置のアクセスに応じて使用データを生成し、前記使用データを前記通信ネットワークに送信する手段と
を更に有する無線ローカルエリアネットワーク。
【請求項８】
ユーザ装置を使用して無線ローカルエリアネットワークにアクセスする方法であって、
第１の通信ネットワークとの通信を確立し、前記第１の通信ネットワークで認証ステップを実行し、前記第１の通信ネットワークはセルラネットワークであるステップと、
ユーザ装置の公開鍵を含む登録メッセージを前記第１の通信ネットワークに送信するステップと、
前記無線ローカルエリアネットワークから受信したセッション鍵を前記第１の通信ネットワークから受信するステップと、
秘密鍵で前記セッション鍵を解読するステップと、
前記セッション鍵を使用して前記無線ローカルエリアネットワークへのアクセスを確立するステップと
を有する方法。
【請求項９】
請求項８に記載の方法であって、
前記登録メッセージは、前記無線ローカルエリアネットワークと通信するインタフェースに関連するアドレスを有し、それによって前記アドレスと前記セッション鍵とについてマッピングが生成され得る方法。
【請求項１０】
請求項９に記載の方法であって、
前記アドレスは、媒体アクセス制御アドレスとインターネットプロトコルアドレスとのうちの１つを有する方法。
【請求項１１】
請求項１０に記載の方法であって、
前記無線ローカルエリアネットワーク又は前記セルラネットワークを介して、前記無線ローカルエリアネットワークへの前記ユーザ装置のアクセスに関する課金情報を受信するステップを更に有する方法。
【請求項１２】
請求項８に記載の方法であって、
前記第１の通信ネットワークが前記無線ローカルエリアネットワークと事前に確立された信頼関係を有するか否かを最初に決定するステップを更に有する方法。
【請求項１３】
第１の通信ネットワークと通信するユーザ装置が第２の通信ネットワークへのアクセスを獲得することを可能にする方法であって、
前記第１の通信ネットワークと前記第２の通信ネットワークとが、相互に事前に確立された信頼関係を有しており、
前記第１の通信ネットワーク内で前記ユーザ装置を認証し、前記第１の通信ネットワークはセルラネットワークを有し、前記第２の通信ネットワークは無線ローカルエリアネットワークを有するステップと、
ユーザ装置の公開鍵を含む登録メッセージを前記ユーザ装置から受信するステップと、
前記ユーザ装置の公開鍵と、前記第１の通信ネットワークに割り当てられた所定の範囲内にある発信側アドレスとを含むメッセージを、前記第２の通信ネットワークに送信するステップと、
前記第２の通信ネットワークからセッション鍵を受信するステップと、
前記セッション鍵を前記ユーザ装置に送信し、前記セッション鍵により前記ユーザ装置が前記第２の通信ネットワークへのアクセスを獲得することが可能になるステップと
を有する方法。
【請求項１４】
請求項１３に記載の方法であって、
前記第１の通信ネットワークと前記第２の通信ネットワークとの間で安全なＩＰチャネルを確立し、前記セッション鍵の無許可の傍受を回避するステップを更に有する方法。
【請求項１５】
請求項１３に記載の方法であって、
前記ユーザ装置に関連するインタフェースのアドレスを受信するステップと、
前記インタフェースと前記セッション鍵とのマッピングを登録するステップと
を更に有する方法。
【請求項１６】
請求項１５に記載の方法であって、
前記インタフェースのアドレスが、媒体アクセス制御アドレスとインターネットプロトコルアドレスとのうちの１つを有する方法。
【請求項１７】
請求項１５に記載の方法であって、
前記第２の通信ネットワークへのユーザ装置のアクセスを示す前記第２の通信ネットワークからの使用データを受信するステップと、
前記使用データに基づいて前記ユーザ装置に関連する課金情報を生成するステップと
を更に有する方法。
【請求項１８】
請求項１３に記載の方法であって、
前記セッション鍵は、前記ユーザ装置の公開鍵を使用して暗号化され、ユーザ装置の秘密鍵を使用して解読されるように適合された方法。
【請求項１９】
第２の通信ネットワークを介して公開鍵を含む登録メッセージを第１の通信ネットワークに転送し、移動体端末は前記第２の通信ネットワークにより認証されている手段と、
前記登録メッセージに応じて及び前記移動体端末の発信側インターネットプロトコルアドレスがインターネットプロトコルの発信側アドレスの所定の範囲内であることに応じて生成された暗号化セッション鍵を、前記第２の通信ネットワークを介して前記第１の通信ネットワークから受信する手段と、
秘密鍵を使用して前記受信したセッション鍵を解読する手段と、
前記セッション鍵を使用して前記第１の通信ネットワークと通信する手段と
を有する移動体端末。
【請求項２０】
請求項１９に記載の移動体端末であって、
前記第１の通信ネットワークは無線ローカルエリアネットワークである移動体端末。
【請求項２１】
請求項１９に記載の移動体端末であって、
前記第２の通信ネットワークはセルラネットワークである移動体端末。
【請求項２２】
ユーザ装置を使用して無線ローカルエリアネットワークにアクセスする方法であって、
前記ユーザ装置により、前記ユーザ装置を認証する第１の通信ネットワークと通信を確立し、
前記ユーザ装置により、前記第１の通信ネットワークを介してユーザ公開鍵を使用して前記無線ローカルエリアネットワークに登録メッセージを送信し、
前記ユーザ装置により、前記登録メッセージに応じて生成されたセッション鍵を前記無線ローカルエリアネットワークから受信し、
前記ユーザ装置により、ユーザ秘密鍵を使用して前記セッション鍵を解読し、
前記ユーザ装置により、前記セッション鍵を使用して前記無線ローカルエリアネットワークと安全な通信を確立することを有する方法。
【請求項２３】
請求項２２に記載の方法であって、
前記第１の通信ネットワークはセルラネットワークである方法。
【請求項２４】
請求項１９に記載の移動体端末であって、
前記秘密鍵は、前記移動体端末のユーザ秘密鍵である移動体端末。
【手続補正２】
【補正対象書類名】明細書
【補正対象項目名】００１４
【補正方法】変更
【補正の内容】
【００１４】
マウス１２０とキーボード／キーパッド１２２は、ユーザインタフェースアダプタ１１４によりシステムバス１０４に動作可能に結合される。マウス１２０とキーボード１２２は、システム１００に対して情報を入出力するために使用される。